(57)【要約】【課題】デジタル放送波から番組情報を自動的に取得して分かり易い番組表を作成することができ、更新の手間を軽減することができる放送受信装置を提供する。【解決手段】放送受信装置の一例である携帯電話装置１００は、複数の放送局を選局するためのＴＶチューナ部１９と、ＴＶチューナ部１９によって選局された各放送局のワンセグ放送用の番組情報（Ｌ−ＥＩＴ情報）を取得し、複数の放送局の番組一覧の情報を作成する制御部１７と、を有する構成としている。【選択図】図２
2009165000.tif 000002
【特許請求の範囲】
【請求項１】
複数の放送局を選局するためのチューナ部と、
前記チューナ部によって選局された各放送局のワンセグ放送用の番組情報を取得し、前記複数の放送局の番組一覧の情報を作成する制御部と、
を有する放送受信装置。
【請求項２】
請求項１に記載の放送受信装置であって、
前記チューナ部は、当該チューナ部の起動時に、前記複数の放送局の全局を選局し、
前記制御部は、前記チューナ部によって選局された放送局の前記ワンセグ放送用の番組情報を取得し、前記番組一覧の情報を作成する放送受信装置。
【請求項３】
請求項１に記載の放送受信装置であって、更に、
前記放送局の識別情報を含む前記ワンセグ放送用の番組情報を記憶する記憶部を有し、
前記チューナ部は、前記チューナ部によって選局された放送局の識別情報と前記記憶部によって記憶された放送局の識別情報とが異なる場合、前記複数の放送局の全局を選局し、
前記制御部は、前記チューナ部によって選局された放送局の前記ワンセグ放送用の番組情報を取得し、前記番組一覧の情報を作成する放送受信装置。
【請求項４】
請求項１に記載の放送受信装置であって、更に、
前記放送局の識別情報を含む前記ワンセグ放送用の番組情報を記憶する記憶部を有し、
前記チューナ部は、所定の放送局の前記番組一覧の情報を更新するための更新時刻となった場合、前記所定の放送局を選局し、
前記制御部は、前記チューナ部によって選局された放送局の前記ワンセグ放送用の番組情報を取得し、前記番組一覧の情報を更新する放送受信装置。
【請求項５】
請求項４に記載の放送受信装置であって、更に、
前記更新時刻を設定する操作部を有する放送受信装置。
【請求項６】
請求項４に記載の放送受信装置であって、
前記制御部は、前記記憶部に記憶された前記ワンセグ放送用の番組情報に基づいて、前記更新時刻を設定する放送受信装置。
【請求項７】
請求項６に記載の放送受信装置であって、
前記制御部は、前記記憶部に記憶された前記ワンセグ放送用の番組情報に含まれる所定の番組の開始時刻または終了時刻に基づいて、前記更新時刻を設定する放送受信装置。
【請求項８】
放送受信装置において、
複数の放送局を選局する選局ステップと、
前記選局ステップにおいて選局された各放送局のワンセグ放送用の番組情報を取得する取得ステップと、
前記取得ステップにおいて取得された前記ワンセグ放送用の番組情報に基づいて、前記複数の放送局の放送局の番組一覧の情報を作成するステップと
を有する番組一覧情報作成方法。
【発明の詳細な説明】
【技術分野】
【０００１】
本発明は、放送受信装置および番組一覧情報作成方法に関し、特に、デジタル放送波からワンセグ放送用の番組情報を自動的に取得して分かり易い番組表を作成することができ、更新の手間を軽減することができる放送受信装置および番組一覧情報作成方法に関する。
【背景技術】
【０００２】
テレビジョン放送局は、テレビジョン信号中に、文字や図形で構成される画像情報を多重して伝送を行っている。テレビジョン信号では、各種の情報番組を放送しており、その中には自局の番組に関する番組情報を提供している。このため、定期的にデジタル放送の番組情報を取得し、番組表を作成する文字放送受信装置が知られている。（例えば、特許文献１参照）。
【０００３】
この文字放送受信装置では、デジタル信号から番組情報データを抽出し、抽出した番組情報データをバッファメモリに一時的に記憶し、バッファメモリにテレビ番組に関する情報が含まれる場合に、この情報を番組情報メモリに転送して記憶する。
【０００４】
この番組情報には、番組の識別ＩＤ、番組の開始日時、終了日時及びチャンネルを含む情報が含まれている。複数チャンネルの番組情報は番組表提示部に供給され、番組表が作成される。この番組表を示す情報は、画像メモリに転送され表示部で表示される。
【０００５】
この番組表で表示される情報は、放送局、放送時間、番組タイトル、ジャンル（ドラマ、映画、スポーツ、バラエティ等）及び簡単な番組内容である。
【０００６】
【特許文献１】特開２０００−０６９４３６号公報
【発明の開示】
【発明が解決しようとする課題】
【０００７】
このように、家庭内に設置される放送受信装置では、電子番組表（ＥＰＧ：Ｅｌｅｃｔｒｏｎｉｃ  Ｐｒｏｇｒａｍ  Ｇｕｉｄｅ）を利用することができるが、携帯電話および移動体端末向けの１セグメント部分受信サービス（以下、ワンセグと略称する）で放送されている番組情報は放送局によって数が異なるため、番組表を作成するとバラつきがでてしまう。
【０００８】
また、移動体端末の場合、異なる番組が放送されている地域に移動することが多いため、すでに作成した番組表と移動先の放送局の番組が対応しない場合が生じ、また、チャンネルＩＤ（識別情報）が異なるため受信できないケースもある。さらに、通常の番組表は、通信網でデータ取得するため、通信料が必要になる。
【０００９】
本発明は、上記従来の事情に鑑みてなされたものであって、デジタル放送波から番組情報を自動的に取得して分かり易い番組表を作成することができ、更新の手間を軽減することができる放送受信装置および番組一覧情報作成方法を提供することを目的としている。
【課題を解決するための手段】
【００１０】
上記目的を達成するために、本発明の第１の放送受信装置は、複数の放送局を選局するためのチューナ部と、前記チューナ部によって選局された各放送局のワンセグ放送用の番組情報を取得し、前記複数の放送局の番組一覧の情報を作成する制御部と、を有する構成としている。
【００１１】
上記構成によれば、複数のテレビジョン放送局を順次選局して番組一覧を作成するので、更新の手間を軽減して分かり易い番組表を作成することができる。
【００１２】
また、本発明の第２の放送受信装置は、前記チューナ部が、当該チューナ部の起動時に、前記複数の放送局の全局を選局し、前記制御部が、前記チューナ部によって選局された放送局の前記ワンセグ放送用の番組情報を取得し、前記番組一覧の情報を作成する構成としている。
【００１３】
上記構成によれば、例えばテレビチューナ部の起動時に複数のテレビジョン放送局の全局を選局して番組情報を取得し、番組一覧を作成するので、更新の手間を軽減して分かり易い番組表を作成することができる。
【００１４】
また、本発明の第３の放送受信装置は、前記放送局の識別情報を含む前記ワンセグ放送用の番組情報を記憶する記憶部を有し、前記チューナ部が、前記チューナ部によって選局された放送局の識別情報と前記記憶部によって記憶された放送局の識別情報とが異なる場合、前記複数の放送局の全局を選局し、前記制御部が、前記チューナ部によって選局された放送局の前記ワンセグ放送用の番組情報を取得し、前記番組一覧の情報を作成する構成としている。
【００１５】
上記構成によれば、例えばテレビジョン放送局のチャンネルＩＤが異なる場合に、複数のテレビジョン放送局の全局を選局して番組情報を取得して番組一覧を作成するので、放送番組が異なる地域へ移動した場合でも、更新の手間を軽減して分かり易い番組表を作成することができる。
【００１６】
また、本発明の第４の放送受信装置は、前記放送局の識別情報を含む前記ワンセグ放送用の番組情報を記憶する記憶部を有し、前記チューナ部が、所定の放送局の前記番組一覧の情報を更新するための更新時刻となった場合、前記所定の放送局を選局し、前記制御部が、前記チューナ部によって選局された放送局の前記ワンセグ放送用の番組情報を取得し、前記番組一覧の情報を更新する構成としている。
【００１７】
上記構成によれば、例えば所定の更新イベントが発生した場合には、既に作成された番組一覧の情報を各放送局毎に補うことが可能となり、各放送局毎に用意された番組情報を必要なタイミングで用意に取得することが可能となる。
【００１８】
また、本発明の第５の放送受信装置は、前記更新時刻を設定する操作部を有する構成としている。
【００１９】
上記構成によれば、ユーザの意思で番組一覧の更新時刻を設定するので、ユーザのライフスタイルに応じて最新の番組一覧を取得することができる。
【００２０】
また、本発明の第６の放送受信装置は、前記制御部が、前記記憶部に記憶された前記ワンセグ放送用の番組情報に基づいて、前記更新時刻を設定する構成としている。
【００２１】
上記構成によれば、すでに取得した番組情報をもとに、番組一覧の更新時刻を設定するので、更新の手間を軽減して分かり易い番組表を作成することができる。
【００２２】
また、本発明の第７の放送受信装置は、前記制御部が、前記記憶部に記憶された前記ワンセグ放送用の番組情報に含まれる所定の番組の開始時刻または終了時刻に基づいて、前記更新時刻を設定する構成としている。
【００２３】
上記構成によれば、すでに取得した番組情報のうち、所定の番組の開始時刻または終了時刻をもとに、番組一覧の更新時刻を設定するので、必要最低限の放送局スキャンによる番組一覧の情報の更新が可能となり、スキャン時間を短縮して省電力化を達成することができる。
【００２４】
また、本発明の第１の番組一覧情報作成方法は、放送受信装置において、複数の放送局を選局する選局ステップと、前記選局ステップにおいて選局された各放送局のワンセグ放送用の番組情報を取得する取得ステップと、前記取得ステップにおいて取得された前記ワンセグ放送用の番組情報に基づいて、前記複数の放送局の放送局の番組一覧の情報を作成するステップとを有する構成としている。
【００２５】
上記方法によれば、複数のテレビジョン放送局を順次選局して番組一覧を作成するので、更新の手間を軽減して分かり易い番組表を作成することができる。
【発明の効果】
【００２６】
以上説明したように、本発明によれば、複数のテレビジョン放送局を順次選局して番組一覧を作成するので、更新の手間を軽減して分かり易い番組表を作成することができる。
【００２７】
また、テレビジョン放送局のチャンネルＩＤが異なる場合に、複数のテレビジョン放送局の全局を選局して番組情報を取得して番組一覧を作成するので、放送番組が異なる地域へ移動した場合でも、更新の手間を軽減して分かり易い番組表を作成することができる。
【００２８】
さらに、すでに取得した番組情報のうち、所定の番組の開始時刻または終了時刻をもとに、番組一覧の更新時刻を設定するので、スキャン時間を短縮して省電力化を達成することができる。
【発明を実施するための最良の形態】
【００２９】
以下、本発明の実施形態にかかる放送受信装置および番組一覧情報作成方法について、図面を参照しながら以下に説明する。
【００３０】
本発明の実施形態にかかる放送受信装置は、デジタル放送波から番組情報を取得し、無料の番組表を作成するために、決められた時間、または、テレビ視聴後（視聴中は視聴中の放送局のみ）にワンセグ放送用の番組情報（Ｌ−ＥＩＴ：Ｅｖｅｎｔ  Ｉｎｆｏｒｍａｔｉｏｎ  Ｔａｂｌｅ情報）を取得し、一覧にすることで番組表を作成する。
【００３１】
また、この番組情報は放送局によって数が異なるため、各放送局情報の最後の番組時間からさかのぼって指定時間前に各放送局ごとに番組情報を取得し、番組情報の個別更新を行うことにより、一覧表のばらつきをなくすとともに、番組情報が更新された放送局だけをスキャンすることにより、全体のスキャン時間を短縮して放送受信装置の省電力化を達成するものである。
【００３２】
このような放送受信装置としては、携帯電話装置、携帯情報端末（ＰＤＡ）やその他の小型無線通信機器が考えられるが、ここでは、携帯電話装置を例に説明する。
【００３３】
図１は、本発明の実施形態にかかる携帯電話装置の基本的な構成要素の一例を示したブロック図である。図１に示す携帯電話装置１００は、アンテナ１１、無線部１２、記憶部１３、音部１４、位置情報取得部１５、操作部１６、制御部１７、電源部１８、ＴＶチューナ部１９、アンテナ２０、表示部２１、光部２２、振動部２３を有して構成される。
【００３４】
制御部１７は、記憶部１３内の各種のプログラムに応じてこの携帯電話装置１００の全体動作を制御する中央演算処理装置である。例えば、ＴＶチューナ部１９で選局した各放送局のワンセグ放送用の番組情報を取得し、これらの放送局の番組一覧の情報を作成する。
【００３５】
記憶部１３は、不揮発性メモリ（内部メモリ）であり、例えば、フラッシュメモリなどによって構成され、プログラム領域とデータ領域とを有し、このプログラム領域には、後述する図２〜図４に示す手順に応じて携帯電話装置１００の動作を実現するためのプログラムが格納されている。また、このデータ領域には、ワンセグ用の番組情報や番組一覧の情報などを記憶することが可能である。記憶部１３は、例えばＤＲＡＭ（Ｄｉｒｅｃｔ  Ｒａｎｄｏｍ  Ａｃｃｅｓｓ  Ｍｅｍｏｒｙ）、ＳＤＲＡＭ（Ｓｙｎｃｈｒｏｎｏｕｓ  ＤＲＡＭ）などによって構成されるワーク領域を有する内部メモリである。また、記憶部１３は、撮影画像データ、各種のデータ、プログラムを外部供給する着脱自在な可搬型メモリである記録メディアを接続することができ、この記録メディアは、例えばスマートメディア、ＩＣカードなどによって構成することが可能である。
【００３６】
無線部１２は、アンテナ１１に接続された送受信デュプレクサの受信側から信号を取り込んで受信ベースバンド信号に復調したのちに、音声データを音部１４から出力させる。また、無線部１２は、音部１４に含まれる音声マイクから入力された音声データを送信ベースバンド信号に符号化したのちに、送受信デュプレクサの送信側に与え、アンテナ１１から発信出力させる。
【００３７】
一方、電子メール機能およびインターネット接続によって無線部１２を介して受信した表示データは、ＬＣＤ（液晶表示器）などの表示部２１に与えられて表示出力される。表示部２１は、文字情報、テレビ映像、各種のメッセージなどを高品位に表示するもので、この表示部２１のほか、例えば携帯電話装置１００本体の背面部にはサブ表示部が設けられており、現在日時、簡易なメッセージ、アイコンなどが表示される。
【００３８】
ＴＶチューナ部１９は、ＴＶアンテナ２０を備え、携帯電話などの携帯受信機向けの地上波デジタルテレビ放送に含まれるワンセグ放送を受信するもので、テレビ映像及び音声情報以外にもワンセグ放送用の電子番組表（Ｌ−ＥＩＴ情報）なども含めて受信可能である。ＴＶチューナ部１９は、例えば、専用ＣＰＵ、ＴＶアンテナに接続されている受信部と、受信したワンセグ放送を映像信号、音声信号に分離分離する増幅分離部と、圧縮データを解凍するデコード部などを有する構成となっており、このＴＶチューナ部１９から出力されたテレビ映像信号は、表示部２１に表示出力され、テレビ音声信号は、音部１４に含まれる内蔵スピーカあるいはイヤホンから出力される。なお、ＴＶチューナ部１９は、複数の放送局を選択するチューナ部としての機能を有する。
【００３９】
操作部１６は、例えば押しボタン式の各種のキーを備え、ダイヤル入力、文字入力、コマンド入力などを行うもので、テレビ機能用としてテレビＯＮ／ＯＦＦキー、チャンネル切り替えキーのほか、ワンセグ放送の録画（録音を含む）を指示する録画開始キー、録画内容の再生を指示する再生キーなどを有している。また、操作部１６は、ワンセグ放送用の番組一覧の情報を更新するための更新時刻の設定も可能である。
【００４０】
なお、テレビ機能用の各キーは、表示部２１の画面上に配置したタッチキーであってもよい。制御部１７は、操作部１６からのキー入力信号に応じた処理を実行する。
【００４１】
また、制御部１７は、ＬＥＤ（発光ダイオード）を含む光部２２、振動モータを有する振動部２３に接続され、電話およびメール着信時には着信報知を行うほか、警告アラームなどの報知時に駆動してユーザに報知する。
【００４２】
位置情報取得部１５は、位置取得用アンテナを備え、位置取得用アンテナを通して自装置の現在位置情報を取得する。この携帯電話装置１００の現在位置情報の取得方法としてはＧＰＳ（Ｇｌｏｂａｌ  Ｐｏｓｉｔｉｏｎｉｎｇ  Ｓｙｓｔｅｍ）等がある。なお、位置情報取得部１５は省略可能である。
【００４３】
電源部１８は、制御部１７を通して携帯電話装置１００の各部に電源を供給する。
【００４４】
次に、携帯電話装置１００の動作の一例を図２〜図４に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに、伝送媒体を介して外部供給されたプログラム／データを利用して、以下の動作を実行することもできる。
【００４５】
図２は、携帯電話装置１００を使用していない深夜の時間帯などの毎日決まった時間や、ＴＶ放送の視聴を開始するためのＴＶチューナ部１９の起動時に、放送波をスキャンして番組情報を取得し番組表を作成する場合の、携帯電話装置１００の動作の一例を示すフローチャートである。
【００４６】
まず、制御部１７が、各種イベントが発生（例えば、上記のように、毎日のある決まった時間になる、ＴＶチューナ部１９を起動する、など）したと判断すると、未選局の放送局があるかどうか判定する（ステップＳ１１）。未選局の放送局がある場合（Ｙｅｓ）は、ＴＶチューナ部１９が、未選局の放送局を選局する（ステップＳ１２）。未選局の放送局がない場合、図２の処理を終了する。
【００４７】
続いて、制御部１７は、その放送局の放送波に含まれる番組情報を取得し、チャンネルＩＤと対応させて記憶部１３に格納する（ステップＳ１３）。そして、制御部１７は、記憶部１３に格納されているすべての放送局の番組情報により、番組表を作成する（ステップＳ１４）。さらに、制御部１７は、各放送局の最後の番組時間をチャンネルＩＤと対応させて記憶部１３に格納する（ステップＳ１５）。続いて、ステップＳ１１の処理に戻る。
【００４８】
図２の処理を行う携帯電話装置によれば、デジタル放送波から番組情報を自動的に取得して分かり易い番組表を作成することができ、更新の手間を軽減することができる。
【００４９】
図３は、例えば、各放送局の番組時間の最後に近づいた場合（各放送局の最後の番組情報開始時間よりユーザが設定したまたは所定の固定時間だけ前の時間）に、各放送局を個別にスキャンして番組情報に追記する場合の、携帯電話装置１００の動作の一例を示すフローチャートである。なお、携帯電話装置１００は、あらかじめ図２または後述する図４の処理を実施した後に、図３の処理を実施することが可能である。
【００５０】
まず、制御部１７が、各放送局の最後の番組情報開始時間よりユーザが設定した固定時間または所定時間だけ前の時間になった（イベント発生）と判定すると、ＴＶチューナ部１９が、その放送局のみ選局し（ステップＳ２１）、制御部１７が、その放送局の放送波に含まれる番組情報を取得し、チャンネルＩＤと対応させて記憶部１３に格納する（ステップＳ２２）。
【００５１】
続いて、制御部１７は、記憶部１３に格納されているすべての放送局の番組情報により、番組表を作成する（ステップＳ２３）とともに、各放送局の最後の番組時間をチャンネルＩＤと対応させて記憶部１３に格納する（ステップＳ２４）。 
【００５２】
なお、図３のイベント発生の別の例として、記憶部１３にすでに番組情報を格納している場合には、制御部１７が、その番組情報をもとに更新時刻を設定し、その時刻にイベントを発生させることも可能である。また、記憶部１３にすでに番組情報を格納している場合には、制御部１７が、その番組情報に含まれる所定の番組の開始時刻または終了時刻をもとに更新時刻を設定し、その時刻にイベントを発生させることも可能である。
【００５３】
また、ユーザが時間を設定する際には、例えば、ユーザの指示により、操作部１６が時刻情報を入力することが可能である。
【００５４】
図３の処理を行う携帯電話装置によれば、たとえ番組情報が放送局によって数が異なり、番組表を作成の際にバラつきがでてしまう場合であっても、各放送局毎に最新の番組情報を取得し、番組表に反映することが可能である。
【００５５】
ここで、図３の処理による番組表更新の具体例を図５に示す。図５は携帯電話装置１００の番組表更新の具体例を示す図である。図３（ａ）は時刻８：００になる前の状態であり、放送局Ａの番組情報が更新される前の状態を表している。図３（ｂ）は時刻８：００を過ぎた状態であり、放送局Ａの番組情報が更新される前の状態を表している。このように、先に説明した様々なイベント発生により、番組表の更新が可能である。
【００５６】
図４は、携帯電話装置１００が放送番組が異なる地域へ移動した場合の携帯電話装置１００の動作の一例を示すフローチャートである。
【００５７】
まず、制御部１７が、テレビチューナ部１９で選局したテレビジョン放送局のチャンネルＩＤ（識別情報）を取得し、選局したテレビジョン放送局のチャンネルＩＤが、記憶部１３に格納されているチャンネルＩＤに含まれるか否かを判定する（ステップＳ３１）。記憶部１３にチャンネルＩＤが含まれない場合（Ｙｅｓ）に、制御部１７は、未選局の放送局があるかどうか判定する（ステップＳ３２）。未選局の放送局がある場合（Ｙｅｓ）には、ＴＶチューナ部１９が、その時点（ステップＳ３３の処理を行う時点）で未選局の放送局を選局する（ステップＳ３３）。未選局の放送局がない場合、図４の処理を終了する。
【００５８】
続いて、制御部１７は、その放送局の放送波に含まれる番組情報を取得し、チャンネルＩＤと対応させて記憶部１３に格納する（ステップＳ３４）。そして、制御部１７は、記憶部１３に格納されているすべての放送局の番組情報により、番組表を作成する（ステップＳ３５）。さらに、制御部１７は、各放送局の最後の番組時間をチャンネルＩＤと対応させて記憶部１３に格納する（ステップＳ３６）。続いて、ステップＳ３２の処理に戻る。
【００５９】
図４の処理を行う携帯電話装置によれば、例えば、異なる番組が放送されている地域に移動し、すでに作成した番組表と移動先の放送局の番組が対応しないために、チャンネルＩＤ（識別情報）が異なるため受信できないという状況を防止可能である。
【００６０】
図２および図４の処理では、各放送局を選局し、各放送局の番組情報を取得し、番組表作成を全曲に対して行うように説明したが、全放送局の番組情報を取得した後一括で番組表を作成するようにしてもよい。
【００６１】
以上説明したように、携帯電話装置１００などの放送受信装置によれば、ＴＶチューナ部１９が複数のテレビジョン放送局を順次選局し、制御部１７が番組一覧を作成するので、更新の手間を軽減して分かり易い番組表を作成することができる。
【００６２】
また、テレビジョン放送局のチャンネルＩＤが異なる場合に、複数のテレビジョン放送局の全局を選局して番組情報を取得して番組一覧を作成するので、放送番組が異なる地域へ移動した場合でも、更新の手間を軽減して分かり易い番組表を作成することができる。
【００６３】
また、すでに取得した番組情報のうち、ユーザの設定時刻や記憶部１３に記憶された番組情報に基づく更新時刻、さらには所定の番組の開始時刻または終了時刻などをもとに、番組一覧の更新時刻を設定するので、スキャン時間を短縮して省電力化を達成することができる。
【００６４】
また、通信網で番組情報のデータ取得を行わないため、通信料が不要になる。
【産業上の利用可能性】
【００６５】
本発明は、デジタル放送波から番組情報を自動的に取得して分かり易い番組表を作成することができ、更新の手間を軽減することができる放送受信装置等として有用である。
【図面の簡単な説明】
【００６６】
【図１】本発明の実施形態にかかる携帯電話装置の基本的な構成要素の一例を示したブロック図
【図２】本発明の実施形態にかかる携帯電話装置が全放送局をスキャンして番組表を作成する場合の動作の一例を示したフローチャート
【図３】本発明の実施形態にかかる携帯電話装置が各放送局を個別にスキャンして番組情報に追記する場合の動作の一例を示したフローチャート
【図４】本発明の実施形態にかかる携帯電話装置が放送番組が異なる地域へ移動した場合の動作の一例を示したフローチャート
【図５】本発明の実施形態にかかる携帯電話装置が番組表更新を行う場合の具体例を示した図
【符号の説明】
【００６７】
１００  携帯電話装置
１１，２０  アンテナ
１２  無線部
１３  記憶部
１４  音部
１５  位置情報取得部
１６  操作部
１７  制御部
１８  電源部
１９  ＴＶチューナ部
２１  表示部
２２  光部
２３  振動部
【図１】
2009165000.tif 000003
【図２】
2009165000.tif 000004
【図３】
2009165000.tif 000005
【図４】
2009165000.tif 000006
【図５】
2009165000.tif 000007